【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
撮影された画像データを着脱可能な記録媒体に記録するとともに、内蔵記録媒体を備えた撮像装置であって、
前記着脱可能な記録媒体に記録された画像データの消去指示があるときに、当該画像データを前記内蔵記録媒体に記録した後に、前記着脱可能な記録媒体からの消去を実行する手段を有することを特徴とする撮像装置。
【請求項２】
前記着脱可能な記録媒体は固有のＩＤ情報を有し、前記着脱可能な記録媒体に記録された画像データの消去指示があるときに、当該画像データとともに前記ＩＤ情報も前記内蔵記録媒体に記録することを特徴とする請求項１に記載の撮像装置。
【請求項３】
撮影された画像データを着脱可能な記録媒体に記録するとともに、内蔵記録媒体を備えた撮像装置であって、
前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する手段を有することを特徴とする撮像装置。
【請求項４】
前記内蔵記録媒体に、画像データとともに前記着脱可能な記録媒体が有する固有のＩＤ情報が記録されている場合に、その画像データの消去指示或いは表示指示或いは転送指示があった場合、ＩＤ情報の合致する着脱可能な記録媒体が装着されているときのみ当該指示に従うことを特徴とする請求項２又は３に記載の撮像装置。
【請求項５】
撮影された画像データを着脱可能な記録媒体に記録するとともに、内蔵記録媒体を備えた撮像装置による画像データ管理方法であって、
前記着脱可能な記録媒体に記録された画像データの消去指示があるときに、当該画像データを前記内蔵記録媒体に記録した後に、前記着脱可能な記録媒体からの消去を実行する手順を有することを特徴とする画像データ管理方法。
【請求項６】
撮影された画像データを着脱可能な記録媒体に記録するとともに、内蔵記録媒体を備えた撮像装置による画像データ管理方法であって、
前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する手順を有することを特徴とする画像データ管理方法。
【請求項７】
撮影された画像データを着脱可能な記録媒体に記録するとともに、内蔵記録媒体を備えた撮像装置に用いられるコンピュータプログラムであって、
前記着脱可能な記録媒体に記録された画像データの消去指示があるときに、当該画像データを前記内蔵記録媒体に記録した後に、前記着脱可能な記録媒体からの消去を実行する処理を実行させることを特徴とするコンピュータプログラム。
【請求項８】
撮影された画像データを着脱可能な記録媒体に記録するとともに、内蔵記録媒体を備えた撮像装置に用いられるコンピュータプログラムであって、
前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する処理を実行させることを特徴とするコンピュータプログラム。
【請求項９】
処理したデータを着脱可能な記録媒体に記録するとともに、内蔵記録媒体を備えたデータ処理装置であって、
前記着脱可能な記録媒体に記録されたデータの消去指示があるときに、当該データを前記内蔵記録媒体に記録した後に、前記着脱可能な記録媒体からの消去を実行する手段を有することを特徴とするデータ処理装置。
【請求項１０】
前記着脱可能な記録媒体は固有のＩＤ情報を有し、前記着脱可能な記録媒体に記録された画像データの消去指示があるときに、当該データとともに前記ＩＤ情報も前記内蔵記録媒体に記録することを特徴とする請求項９に記載のデータ処理装置。
【請求項１１】
前記内蔵記録媒体に、データとともに前記着脱可能な記録媒体が有する固有のＩＤ情報が記録されている場合に、そのデータの表示指示があった場合、ＩＤ情報の合致する着脱可能な記録媒体が装着されているときのみ当該指示に従うことを特徴とする請求項１０に記載のデータ処理装置。
【手続補正２】
【補正対象書類名】明細書
【補正対象項目名】０００１
【補正方法】変更
【補正の内容】
【０００１】
本発明は、撮像された画像データを着脱可能な記録媒体に記録するとともに、内蔵記録媒体を備えた撮像装置、撮像装置による画像データ管理方法、データ処理装置、及びコンピュータプログラムに関する。
【手続補正３】
【補正対象書類名】明細書
【補正対象項目名】００１０
【補正方法】変更
【補正の内容】
【００１０】
本発明の撮像装置は、撮影された画像データを着脱可能な記録媒体に記録するとともに、内蔵記録媒体を備えた撮像装置であって、前記着脱可能な記録媒体に記録された画像データの消去指示があるときに、当該画像データを前記内蔵記録媒体に記録した後に、前記着脱可能な記録媒体からの消去を実行する手段を有する点に特徴を有する。
本発明の他の撮像装置は、撮影された画像データを着脱可能な記録媒体に記録するとともに、内蔵記録媒体を備えた撮像装置であって、前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する手段を有する点に特徴を有する。
本発明の画像データ管理方法は、撮影された画像データを着脱可能な記録媒体に記録するとともに、内蔵記録媒体を備えた撮像装置による画像データ管理方法であって、前記着脱可能な記録媒体に記録された画像データの消去指示があるときに、当該画像データを前記内蔵記録媒体に記録した後に、前記着脱可能な記録媒体からの消去を実行する手順を有する点に特徴を有する。
本発明の他の画像データ管理方法は、撮影された画像データを着脱可能な記録媒体に記録するとともに、内蔵記録媒体を備えた撮像装置による画像データ管理方法であって、前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する手順を有する点に特徴を有する。
本発明のコンピュータプログラムは、撮影された画像データを着脱可能な記録媒体に記録するとともに、内蔵記録媒体を備えた撮像装置に用いられるコンピュータプログラムであって、前記着脱可能な記録媒体に記録された画像データの消去指示があるときに、当該画像データを前記内蔵記録媒体に記録した後に、前記着脱可能な記録媒体からの消去を実行する処理を実行させる点に特徴を有する。
本発明の他のコンピュータプログラムは、撮影された画像データを着脱可能な記録媒体に記録するとともに、内蔵記録媒体を備えた撮像装置に用いられるコンピュータプログラムであって、前記着脱可能な記録媒体に記録された画像データの前記内蔵記録媒体への転送指示があるときに、当該画像データとともに前記着脱可能な記録媒体が有する固有のＩＤ情報も前記内蔵記録媒体に記録する処理を実行させる点に特徴を有する。
本発明のデータ処理装置は、処理したデータを着脱可能な記録媒体に記録するとともに、内蔵記録媒体を備えたデータ処理装置であって、前記着脱可能な記録媒体に記録されたデータの消去指示があるときに、当該データを前記内蔵記録媒体に記録した後に、前記着脱可能な記録媒体からの消去を実行する手段を有する点に特徴を有する。